(57)【要約】【課題】  ユーザーによりカスタマイズされた外部ストロボ装置を使用する場合においても、適切な撮影パラメータを簡単に設定出来るようにする。【解決手段】  個体識別情報であるＩＤ情報を有する外部ストロボ装置と、前記外部ストロボ装置が着脱可能なカメラシステムにおいて、撮影に関するパラメータを変更可能なパラメータ設定変更手段とパラメータ設定手段によって設定された撮影に関するパラメータとＩＤ情報を関連付けて記憶する記憶手段と、前記外部ストロボ装置のＩＤ情報を判別し、前記記憶手段に前記ＩＤ情報と関連付けられた撮影に関するパラメータが記憶されていた時は、前記記憶手段に前記ＩＤ情報に関連づけられた撮影に関するパラメータを読み出し、撮影パラメータを変更するパラメータ設定手段を有する事を特徴とするカメラシステムとする。【選択図】  図４
2007127714.tif 000002
【特許請求の範囲】
【請求項１】
個体識別情報であるＩＤ情報を有する外部ストロボ装置と、
前記外部ストロボ装置が着脱可能なカメラシステムにおいて、
撮影に関するパラメータを変更可能なパラメータ設定変更手段とパラメータ設定手段によって設定された撮影に関するパラメータとＩＤ情報を関連付けて記憶する記憶手段と、
前記外部ストロボ装置のＩＤ情報を判別し、前記記憶手段に前記ＩＤ情報と関連付けられた撮影に関するパラメータが記憶されていた時は、前記記憶手段に前記ＩＤ情報に関連づけられた撮影に関するパラメータを読み出し、撮影パラメータを変更するパラメータ設定手段を有する事を特徴とするカメラシステム。
【請求項２】
前記個体識別情報とは、シリアルナンバーである事を特徴とする請求項１記載のカメラシステム。
【請求項３】
前記撮影に関するパラメータとは、撮影モード、測光モード、ＡＦモード、ホワイトバランス補正、露出補正量、調光補正量の少なくとも一つを有する事を特徴とする請求項１、２記載のカメラシステム。
【発明の詳細な説明】
【技術分野】
【０００１】
本発明は電子カメラに関し、外部ストロボ装置が着脱可能で、撮影者の意図を反映するために撮影に関するパラメータの設定が変更可能なカメラシステムに関するものである。
【背景技術】
【０００２】
特許文献１にて開示されている技術は、ストロボ装置はストロボ発光の色温度情報を持ち、ストロボ使用時にはその色温度情報に基づきホワイトバランス調整を行うものである。また、特許文献２においても、上記と同様の技術が公開されている。
【特許文献１】特開平２−８５８３４号公報
【特許文献２】特開２００１−３３９７３４号公報
【発明の開示】
【発明が解決しようとする課題】
【０００３】
しかしながら、接写を行うユーザーは、ユーザー自身の手により外部ストロボ装置の本体に機構的なカスタマイズを行う事が多々ある。カスタマイズの例としては、「ストロボ光の色温度を変更するためにカラーフィルターを発光部前面に貼り付ける。」。「ディフーザーやフードを取り付け、ストロボ配光を変更する」が挙げられる。これらのカスタマイズは、撮影中にフィルター等の脱落を防止するために、接着剤等で固定し、簡単には取り外せないようにしてある事が多い。
【０００４】
つまり、商品出荷時に設定されている情報を元にして各種補正が行われる特開平２−８５８３４及び特開２００１−３３９７３４に開示されれている技術では、ユーザーの手によりカスタマイズが行われた外部ストロボ装置には対応出来ないという問題が生じる。
【課題を解決するための手段】
【０００５】
本出願に係る第一の発明は、個体識別情報であるＩＤ情報を有する外部ストロボ装置と、前記外部ストロボ装置が着脱可能なカメラシステムにおいて、撮影に関するパラメータを変更可能なパラメータ設定変更手段とパラメータ設定手段によって設定された撮影に関するパラメータとＩＤ情報を関連付けて記憶する記憶手段と、前記外部ストロボ装置のＩＤ情報を判別し、前記記憶手段に前記ＩＤ情報と関連付けられた撮影に関するパラメータが記憶されていた時は、前記記憶手段に前記ＩＤ情報に関連づけられた撮影に関するパラメータを読み出し、撮影パラメータを変更するパラメータ設定手段を有する事を特徴とするカメラシステムとする。このような構成とする事で、ユーザーによりカスタマイズされた外部ストロボ装置であっても、外部ストロボ装置をカメラに装着するだけで、簡単に使用頻度の高い各種撮影パラメータを自動的に設定する事が可能となる。
【発明の効果】
【０００６】
このような構成とする事で、ユーザーによりカスタマイズされた外部ストロボ装置であっても、外部ストロボ装置をカメラに装着するだけで、簡単に使用頻度の高い各種撮影パラメータを自動的に設定する事が可能となる。
【発明を実施するための最良の形態】
【０００７】
（実施例１）
以下、本発明の一実施形態を図面に基づいて説明する。図１は、本実施形態に係る電子カメラの外観を示す正面斜視図である。
【０００８】
図１において、１はカメラ本体であり、このカメラ本体１に撮影レンズ２を交換可能に装着できるようになっている。交換レンズ先端には外部ストロボ装置１５の発光部１５ｂが装着できるようになっている。３はグリップであり、撮影者がカメラ本体１をホールドしやすい形状になっている。このカメラ本体１上部には、撮影を行う際の各種の操作部材および表示部材が集中している。４はシャッターレリーズ釦であり、一段目の押し込み（ＳＷ１）で測光および測距演算が行われ、二段目の押し込み（ＳＷ２）で露出のための一連の動作が開始する。５は液晶を用いた上面表示パネルであり、シャッタースピードや絞り値といった撮影に必要な情報を表示する。６はパラメータ設定変更手段の一つである電子ダイヤルであり、グリップ３の上部で且つシャッターレリーズ釦４の後部に配置されている。撮影者はこの電子ダイヤル６を操作することにより、シャッタースピード、絞り等の撮影条件を変更することができるようになっている。また、カメラ本体背面には撮影画像及びカメラの設定情報を表示するための不図示の背面ＴＦＴモニタが設けられている。さらにカメラ本体背面及び上面左肩部には不図示のパラメータ設定変更手段の一つである撮影モード変更釦、画像再生釦等の各種設定・操作釦が設けられており、カメラの撮影に関する各種設定値を変更することと、撮影した画像を不図示の液晶表示モニタに再生画像として表示させることを指示するための操作部材である。
【０００９】
１５は外部ストロボ装置であり、制御部１５ａと発光部１５ｂからなり、制御部１５ａと発光部１５ｂはスパイラルコード１５ｃで接続されている。制御部１５ａはカメラ本体１に着脱可能に構成されている。カメラと外部ストロボ装置の電気的な接続端子部はいわゆるアクセサリーシュー部に設けられている。発光部１５ｂはレンズ先端に着脱可能な機構で取り付けられている。発光部１５ｂは、接写時に被写体に最適な照明を当てるために発光部の発光光軸が変更可能になっている。
【００１０】
外部ストロボ装置には、外部ストロボ装置の各種設定を変更する、すなわちパラメータ設定変更手段である釦１５ｄ、１５ｅ、１５ｆ、１５ｇがある。外部ストロボ装置には外部ストロボ装置の設定内容を表示液晶表示モニタ１５ｈを有する。本実施例にあげている外部ストロボ装置は、接写用ストロボ装置である。接写を行うユーザーは、ユーザー自身の手により機構的なカスタマイズを行う事が多々ある。カスタマイズの例としては、「ストロボ光の色温度を変更するためにカラーフィルターを発光部前面に貼り付ける。」。「ディフーザーやフードを取り付け、ストロボ配光を変更する」が挙げられる。これらのカスタマイズは、撮影中にフィルタ等の脱落を防止するために、接着剤等で固定し、簡単には取り外せないようにしてある事が多い。
【００１１】
図２は、撮影画像を表示する液晶モニタ付きの従来の一眼レフタイプの電子カメラの構成を示す断面図であり、図３は、その内部構成を示すブロック図である。以下に、この図２および図３を用いて、撮影レンズを通過した被写体光束が固体撮像素子（ＣＭＯＳ）に到達し、ＣＭＯＳ上に写った撮影画像が画像処理回路内で諸々の変換処理を施され、最後に電子カメラに内蔵の液晶モニタに再生画像として表示されるまでの経路について説明する。
【００１２】
図２において、５０１はカメラ本体、５０２はカメラ側マウント、５０３撮影レンズであり、この撮影レンズ５０３はカメラ側マウント５０２に着脱可能に装填されている。
【００１３】
ハーフミラーである主ミラー５０５が図２に示されている状態から二点鎖線で示されるような状態、すなわち、対物レンズ群５０４と固体撮像素子５０６（ＣＭＯＳ）間の被写体光束から待避した状態にあるときは、撮影レンズ５０３の対物レンズ群５０４を通った被写体光束は、主ミラー５０５の後方にあり、且つその被写体光束は、シャッター幕５０７の前に配置された光学フィルタ５０８を通過する。なお、上記光学フィルタ５０８は、撮影光束の特定の波長をカットまたはその高周波成分を除去する。
【００１４】
このとき、まずシャッター先幕５０７ａが走行し、シャッター先幕５０７ａの走行が完了するとストロボを発光させる。そして先幕５０７ａ走行開始から所定時間経過後にシャッター後幕５０７ｂが走行すると、焦点結像面に取り付けられたＣＭＯＳ等の固体撮像素子５０６上に、被写体像が結像する。そして、この固体撮像素子５０６により所定時間蓄積された被写体光束は、光の強さに比例した量の電気信号に変換される。さらにその変換された電気信号は、図３に示すように固体撮像素子５０６からプリプロセス部５１９に供給されてアナログ処理を施される。
【００１５】
アナログ処理された電気信号は、次段のＡ／Ｄ変換部５２１でデジタルデータに変換され、信号処理部５２２に供給される。信号処理部５２２内では、デジタル化された画像信号に幾つかの変換処理を施し、その結果をメモリコントローラ５２３に出力する。メモリコントローラ５２３では、信号処理部５２２から入力されたデジタル画像信号をフレームメモリ５２４に蓄積し、その後メインマイコン５２０に転送して画像圧縮処理を施す。最後に、カメラ本体１の液晶表示モニタ１４０にこの画像信号を転送することで、被写体画像として表示する。また、操作スイッチ５１４は、シャッターレリーズ釦４、パラメータ設定変更手段の一つである電子ダイヤル６、不図示のパラメータ設定変更手段の一つである撮影モード変更＆再生釦、メインスイッチ、デリート釦、操作釦を備える。
【００１６】
なお、この電子カメラは、撮影レンズ５０３内に絞り５１０やフォーカスレンズ群５１２を備えており、これらを絞り駆動部材５１１や自動焦点駆動部５１３が駆動することにより、入射光量の調節および被写体の焦点調節を行うことができるようになっている。これらの調節を含む様々な作業は、操作スイッチ５１４を用いて行うことができ、その操作状態はサブマイコン５１５が管理する。サブマイコン５１５は、上記の操作状態等を液晶パネル５１６に表示する。
【００１７】
また、上記フレームメモリ５２４に格納されたデジタル画像信号は、更に画像蓄積メモリ５２６にも与えられて蓄積される。ここに蓄積された画像信号は、ＰＣカードコントローラ５２７によってＰＣカード５２８に供給される。ＥＥＰＲＯＭ５２９は不揮発メモリでカメラの各種調整値・撮影パラメータ設定値を記憶する。
【００１８】
図４は、第一の実施形態における撮影パラメータ設定及び設定値記憶シーケンスを表したフローチャートである。図５は、第１の実施形態における撮影シーケンスを表したフローチャートである。以下、図４、図５を用いて実際の設定・撮影における一連の動作について説明する。
【００１９】
図４において、まずステップＳ１０１で、メインマイコン５２０は外部ストロボ装置が装着されたかどうか判別する。ステップＳ１０２で外部ストロボ装置の記憶手段であるＥＥＰＲＯＭ１５ｉからストロボの個体識別情報であるストロボＩＤ情報を読み込む。ストロボＩＤ情報を持たない外部ストロボ装置の場合は、カスタム設定値記憶機能は無効となる。本実施例におけるストロボＩＤ情報はシリアルナンバーである。
【００２０】
ステップＳ１０３では、ステップＳ１０２でストロボＩＤ情報が読み込まれたかどうか判別する。ストロボＩＤ情報が読み込まれた場合は、ステップＳ１０４へ移行し、ストロボＩＤ情報が読み込まれていなかった場合にはステップＳ１０９へ移行し、外部ストロボ装置及びカメラ本体の撮影に関するパラメータの設定変更がユーザーに手により行われる。撮影パラメータの設定変更は、カメラ及び外部ストロボ装置に設けられた各種設定釦および電子ダイヤルを所定の操作をする事で行われる。撮影パラメータとして、ＩＳＯ感度、外部ストロボの色温度情報、露出補正量、調光補正量、撮影モード、ＡＦモード、測光モード、ホワイトバランス補正等がある。そして撮影シーケンスへと移行する。
【００２１】
ステップＳ１０４では、カメラ本体の設定値記憶手段であるＥＥＰＲＯＭ５２９にステップＳ１０２で読み込まれたストロボＩＤ情報と関連付けられて記憶されている設定情報があるかどうか判別する。ストロボＩＤ情報と関連付けられて設定情報が記憶されていた場合は、ステップＳ１０５へ移行する。ストロボＩＤ情報と関連付けられて設定情報が記憶されていない場合は、ステップＳ１０６へ移行する。
【００２２】
ステップＳ１０５では、ステップＳ１０２では、パラメータ設定手段であるメインマイコン５２０より、読み込まれたストロボＩＤ情報に関連付けられて記憶されている設定情報を読み出しカメラ本体及び外部ストロボ装置の設定を変更し、ステップＳ１０６へ移行する。
【００２３】
ステップＳ１０６では、外部ストロボ装置及びカメラ本体の撮影に関するパラメータの設定変更がユーザーに手により行われたかどうか判定する。撮影パラメータの設定変更は、カメラ及び外部ストロボ装置に設けられた各種設定釦および電子ダイヤルを所定の操作する事で行われる。撮影パラメータとして、ＩＳＯ感度、外部ストロボの色温度情報、露出補正量、外部ストロボ発光補正量等がある。ユーザーによる設定変更が行われた場合には、ステップＳ１０７へ移行し、ユーザーによる設定変更が行われなかった場合には撮影シーケンスへと移行する。
【００２４】
ステップＳ１０７では、ストロボＩＤ情報と設定値を関連付けてカメラ本体のＥＥＰＲＯＭ５２９へ記憶させる操作がユーザーにより行われたかどうか判別する。所定の操作を検出するとステップＳ１０８へ移行し、所定の操作が検出されない場合は、撮影シーケンスへと移行する。
【００２５】
ステップＳ１０８へは、ストロボＩＤ情報と現在の設定値を関連付けてカメラ本体のＥＥＰＲＯＭ５２９へ記憶させる。そして撮影シーケンスへ移行する。
【００２６】
図５において、まずステップＳ２０１で不図示のメインスイッチを操作して電源をオンにすると、ステップＳ２０２においてカメラ本体１は、図示しない電池の電源状態をチェックして不図示の背面液晶パネルに表示し、さらにメインマイコン５２０を構成するＣＰＵを初期状態にリセットした後、撮影可能なスタンバイ状態になる。
【００２７】
次にステップＳ２０３で、アクセサリーシューに設けられた不図示の電気的通信端子を介して補助光投光装置である外部ストロボ装置１５が取り付けられているかどうか判別する。装着されていない場合はステップＳ２０８へ移行する。外部ストロボ装置１５が取り付けられていた場合は、ステップＳ２０４において、外部ストロボ装置からストロボの個体識別情報であるストロボＩＤ情報を読み込む。ストロボＩＤ情報を持たない外部ストロボ装置の場合は、カスタム設定値記憶機能は無効となる。
【００２８】
ステップＳ２０５では、ステップＳ２０４でストロボＩＤ情報が読み込まれたかどうか判別する。ストロボＩＤ情報が読み込まれた場合は、ステップＳ２０６へ移行し、ストロボＩＤ情報が読み込まれていなかった場合にはステップＳ２０８へ移行する。
【００２９】
ステップＳ２０６では、カメラ本体の設定値記憶手段であるＥＥＰＲＯＭ５２９にステップＳ２０４で読み込まれたストロボＩＤ情報と関連付けられて記憶されている設定情報があるかどうか判別する。ストロボＩＤ情報と関連付けられて設定情報が記憶されていた場合は、ステップＳ２０７へ移行する。ストロボＩＤ情報と関連付けられて設定情報が記憶されていない場合は、ステップＳ２０８へ移行する。
【００３０】
ステップＳ２０７では、ステップＳ２０４で読み込まれたストロボＩＤ情報に関連付けられて記憶されている設定情報を読み出し、ステップＳ２０８へ移行する。
【００３１】
次に、ステップＳ２０８で撮影者がシャッターレリーズ釦４を一段目まで押下すると（ＳＷ１）、ステップＳ２０９では、概知の測光手段および測距手段により測光演算と測距演算とが行われる。
【００３２】
その後、ステップＳ２１０でシャッターレリーズ釦４を更に押すと（ＳＷ２）、絞り駆動部材５１１により絞り５１０を適正な光量となるように調節する。次のステップＳ２１２では、まずシャッターの先幕を走行させ、先幕の走行が完了したら外部ストロボ装置１５に発光信号を送り発光させ、先幕走行開始後に所定時間を経過したら、後幕を走行させる。そして、ステップＳ２１３でＣＭＯＳ５０６に結像された被写体像をＣＭＯＳ５０６内部で光電変換し、電気信号として出力する。
【００３３】
そして、ステップＳ２１４で、上記ＣＭＯＳ５０６より出力されたアナログの画像信号をＡ／Ｄ変換部５２１にてＡ／Ｄ変換してデジタルデータに変え、ステップＳ２１５で信号処理部５２２にて種々の変換処理を行う。さらに、ステップＳ２１６でＣＰＵ５２０にてデータの圧縮処理を行った後、ステップＳ２１７で上述の画像処理を施した画像データをカメラ本体１の液晶表示モニタ１４ａ上に再生画像として数秒間表示する。ステップＳ２１８において、外部メモリに画像データを保存する。
【００３４】
その後、ステップＳ２０７の終了状態まで戻り、次の撮影が可能なスタンバイ状態となる。
【図面の簡単な説明】
【００３５】
【図１】本実施形態における電子カメラの外観を示す正面斜視図である。
【図２】本実施形態における一眼レフタイプの電子カメラの構成を示す断面図である。
【図３】本実施形態における電子カメラの内部構成を示すブロック図である。
【図４】本実施形態における設定シーケンスを示すフローチャートである。
【図５】本実施形態における撮影シーケンスを示すフローチャートである。
【符号の説明】
【００３６】
１  カメラ本体
４  シャッターレリーズ釦
１３  ファインダ接眼窓
１４ａ  液晶表示モニタ
１４ｂ  操作釦
１５  外部ストロボ装置
５２０  メインマイコン（ＣＰＵ）
【図１】
2007127714.tif 000003
【図２】
2007127714.tif 000004
【図３】
2007127714.tif 000005
【図４】
2007127714.tif 000006
【図５】
2007127714.tif 000007